(57)【要約】      （修正有）【課題】食器皿を積層した状態で、重労働を伴うことなく容易に開口部に投入または排出できる食器皿洗浄装置における食器皿案内体を提供すること。【解決手段】筐体の上面に設けた食器皿案内体１０より筐体の開口部を介して食器皿が投入または排出される食器皿洗浄装置における食器皿案内体１０において、この食器皿案内体１０は、開口部と略同径の円筒内面を有する筒状体１０Ａと、この筒状体１０Ａより鉛直方向に延びる複数のガイドバー１０Ｂとで構成され、ガイドバー１０Ｂが、積層した食器皿が食器皿案内体１０に対して筐体の上面と略平行に横方向から投入または排出できるように一時的に鉛直方向に延びた状態から退避可能な手段を有する。【選択図】  図３
2004209064.tif 000002
【特許請求の範囲】
【請求項１】
筐体の上面に設けた食器皿案内体より筐体の開口部を介して食器皿が投入または排出される食器皿洗浄装置における食器皿案内体であって、
前記食器皿案内体は、前記開口部と略同径の円筒内面を有する筒状体と、該筒状体より鉛直方向に延びる複数のガイドバーとで構成され、前記ガイドバーが、積層した食器皿が前記食器皿案内体に対して前記筐体の上面と略平行に横方向から投入または排出できるように一時的に鉛直方向に延びた状態から退避可能な手段を有することを特徴とする食器皿洗浄装置における食器皿案内体。
【請求項２】
前記退避可能な手段は、前記ガイドバーが筒状体のところで屈曲し且つ鉛直状態に復元しうる部材で構成されている請求項１に記載の食器皿洗浄装置における食器皿案内体。
【請求項３】
前記退避可能な手段は、前記ガイドバーが筒状体に対して着脱自在に構成されている請求項１に記載の食器皿洗浄装置における食器皿案内体。
【請求項４】
前記退避可能な手段は、前記ガイドバーが筒状体に対して回動自在に構成されている請求項１に記載の食器皿洗浄装置における食器皿案内体。
【請求項５】
前記筐体が前記積層した食器皿を前記食器皿案内体に対して横方向から投入または排出するための誘導溝を備えている請求項１ないし４の何れかに記載の食器皿洗浄装置における食器皿案内体。
【発明の詳細な説明】
【０００１】
【発明の属する技術分野】
本発明は、筐体の上面に設けた食器皿案内体より筐体の開口部を介して投入または排出される食器皿洗浄装置における食器皿案内体に関する。
【０００２】
【従来の技術】
従来、寿司などの飲食物を載置する食器皿などを、人手を煩わすことなく自動的に洗浄する食器洗浄装置が使用されている。この種の食器洗浄装置は特許文献１に記載されているように、上面に食器皿の投入口と排出口とが形成された筐体内に、食器皿が洗浄部を通過するための搬送部が投入口から排出口に延びるように設けられ、投入口と排出口の下方には食器皿を挿通可能な案内筒が搬送部に向けて設置されている。そして、投入口と排出口の周囲には複数のガイドバーが等配状態に立設している。（例えば、特許文献１参照）
【０００３】
【特許文献１】
特開平２００２−８６０９１号公報（段落００１４−００１７、図２、４）
【０００４】
【発明が解決しようとしている課題】
ところで、このように構成された食器洗浄装置の開口部では、洗浄前及び洗浄後の食器皿は、ガイドバーに沿って上下方向に投入または排出せざるを得なかった。そのため作業者は食器皿をガイドバーの上方まで持ち上げて、ガイドバーの配置状態に合わせて投入または排出しており、重労働を伴う作業であった。
【０００５】
本発明は、上記事情に鑑みてなされたもので、食器皿を積層した状態で、重労働を伴うことなく容易にガイドバーに投入または排出できる食器皿洗浄装置における食器皿案内体を提供することを目的とする。
【０００６】
【課題を解決するための手段】
上記目的を達成するために、本発明の食器皿洗浄装置における食器皿案内体は、筐体の上面に設けた食器皿案内体より筐体の開口部を介して食器皿が投入または排出される食器皿洗浄装置における食器皿案内体であって、前記食器皿案内体は、前記開口部と略同径の円筒内面を有する筒状体と、該筒状体より鉛直方向に延びる複数のガイドバーとで構成され、前記ガイドバーが、積層した食器皿が前記食器皿案内体に対して前記筐体の上面と略平行に横方向から投入または排出できるように一時的に鉛直方向に延びた状態から退避可能な手段を有することを特徴としている。
この特徴によれば、積層した複数の食器皿を食器皿案内体に対して筐体の上面に沿って横方向から投入または排出できるので、重い積層した食器皿を持ち上げる必要がなく、作業が楽である。
【０００７】
本発明の食器皿洗浄装置における食器皿案内体は、前記退避可能な手段が、前記ガイドバーが筒状体のところで屈曲し且つ鉛直状態に復元しうる部材で構成されていることが好ましい。
このようにすれば、ガイドバーを屈曲及び復元させるだけで食器皿の投入または排出態勢がとれるので、簡素な機構で食器皿案内体が構成できる。
【０００８】
本発明の食器皿洗浄装置における食器皿案内体は、前記退避可能な手段が、前記ガイドバーが筒状体に対して着脱自在に構成されていることが好ましい。
このようにすれば、ガイドバーを着脱させるだけで食器皿の投入または排出態勢がとれるので、簡素な機構で食器皿案内体が構成できる。
【０００９】
本発明の食器皿洗浄装置における食器皿案内体は、前記退避可能な手段が、前記ガイドバーが筒状体に対して回動自在に構成されていることが好ましい。
このようにすれば、ガイドバーを回動させるだけで食器皿の投入または排出態勢がとれるので、簡素な機構で食器皿案内体が構成できる。
【００１０】
本発明の食器皿洗浄装置における食器皿案内体は、前記筐体が前記洗浄前の積層したの食器皿を前記食器皿案内体に対して横方向から投入または排出するための誘導溝を備えていることが好ましい。
このようにすれば、洗浄前の積層したの食器皿を誘導溝に沿って食器皿案内体に向かって押し込むだけで、食器皿案内体まで難なく運ぶことができるばかりか、洗浄後の積層したの食器皿を誘導溝に沿って食器皿案内体から引き出すだけで、難なく取り出すことができる。
【００１１】
【発明の実施の形態】
本発明の実施形態について図面を参照して説明する。
【００１２】
図１は本発明が適用される食器洗浄装置の部分断面図、図２は図１における食器皿投入口の拡大部分断面図、図３は退避可能なガイドバーを有する各種食器皿案内体の斜視図であり、（ａ）は屈曲自在のガイドバーを有する食器皿案内体の斜視図であり、（ｂ）は着脱自在のガイドバーを有する食器皿案内体の斜視図であり、（ｃ）は回動自在のガイドバーを有する食器皿案内体の斜視図である。また図４は食器皿投入口の誘導部の説明図で、（ａ）は平面図であり（ｂ）は（ａ）のＡ−Ａ断面図である。
【００１３】
図１において、１は本発明が適用される食器洗浄装置であり、密閉された略直方体の筐体２の内部は、開口部としての食器皿投入口Ｈから２本の搬送スクリュー４で構成されている食器皿搬送部Ｓに導く案内供給部Ｇと、食器皿を搬送する食器皿搬送部Ｓと、搬送の途中で洗浄する洗浄部Ｗと、洗浄後の食器皿を排出部５に送り出す押し上げ部Ｒで構成されている。
【００１４】
更に詳述すると、洗浄部Ｗには、洗浄液噴射ノズル６、回転ブラシ７，すすぎ液噴射ノズル８が搬送方向に向けて順次配設され、洗浄後はエアー噴射ノズル９により乾燥される。乾燥後の食器皿は押し上げ部Ｒにより一枚ずつ食器皿が排出部５に送り出される。
【００１５】
図２は投入口近傍の拡大図であり、筐体２の食器皿投入口Ｈ上部には本発明の食器皿案内体１０が設置され、食器皿投入口Ｈの下方には案内供給部Ｇが配設されている。案内供給部Ｇは食器皿案内体１０から落下してくる食器皿１１を案内する案内筒体１２と、食器皿１１を一枚ずつ切り離して搬送スクリュー４に送る分離部材１３とから成り、この案内供給部Ｇに食器皿１１が到達すると、洗浄液噴射ノズル６からの洗浄液で食器皿１１は洗浄が開始される。
【００１６】
洗浄前の食器皿１１は食器皿案内体１０に積層されるが、積層した状態で食器皿を投入する方法について図３に基づき説明する。
【００１７】
図３（ａ）において、食器皿案内体１０は投入口Ｈと略同径の円筒内面を有する筒状体１０Ａと、この筒状体１０Ａより鉛直方向に延びる４本のガイドバー１０Ｂとで構成されている。この４本のガイドバー１０Ｂの内少なくとも２本は仮想線で示すように、筒状体のところで屈曲し且つ鉛直状態に復元しうるように構成されている。
【００１８】
したがって、ガイドバー１０Ｂは弾性金属体を筒状体１０Ａに埋め込んで溶着したものであってもよい。そして、洗浄前の積層した食器皿を食器皿案内体１０に対して筐体の上面と略平行に横方向から投入すると、前方の２本のガイドバー１０Ｂが屈曲し、積層した食器皿は食器皿案内体１０内部に収めることができる。
【００１９】
また、図３（ｂ）は食器皿案内体の他の変形例を示した図であり、食器皿案内体２０は投入口Ｈと略同径の円筒内面を有する筒状体２０Ａと、この筒状体２０Ａより鉛直方向に延びる４本のガイドバー２０Ｂとで構成されている。この４本のガイドバー２０Ｂの内少なくとも２本は筒状体２０Ａのところで着脱自在に取付けられている。
【００２０】
したがって、ガイドバー２０Ｂを筒状体２０Ａに対して、例えばネジ結合しておけば、洗浄前の積層した食器皿を食器皿案内体２０に対して筐体の上面と略平行に横方向から投入する場合に、２本のガイドバー２０Ｂを取り外すだけで、積層した食器皿を食器皿案内体２０内部に収めることができる。食器皿を食器皿案内体２０内部に収納した後は、取り外した２本のガイドバー２０Ｂを筒状体２０Ａにネジ込んでおく。
【００２１】
更に、図３（ｃ）は食器皿案内体の他の変形例を示した図であり、食器皿案内体３０は投入口Ｈと略同径の円筒内面を有する筒状体３０Ａと、この筒状体３０Ａより鉛直方向に延びる４本のガイドバー３０Ｂとで構成されている。この４本のガイドバー３０Ｂの内少なくとも２本は筒状体３０Ａのところで回動自在に取付けられている。
【００２２】
ガイドバー３０Ｂの筒状体３０Ａに対する支持の方法は、例えば、ガイドバー３０Ｂが鉛直方向位置と、仮想線で示した水平位置でストッパーが掛かる機構を採用してもよく、あるいは常に鉛直方向に向いており外力が掛かるとバネ力に抗して回動するようにしたものを採用することもできる。
【００２３】
したがって、洗浄前の積層した食器皿を食器皿案内体３０に対して筐体の上面と略平行に横方向から投入する場合に、２本のガイドバー３０Ｂを水平状態になるまで回動しておけば、積層した食器皿を食器皿案内体３０内部に収めることができる。
【００２４】
本実施例においてガイドバーの数を何れも４本としているが、特に４本に限定されるものではなく、案内筒体１２側に食器皿をスムーズに送るためにガイドバーを５本使用することもある。したがって、食器皿を横方向から投入した場合に食器皿とぶつからないように退避するガイドバーの本数は、使用しているガイドバーの本数と配列により適宜設定されることになる。
【００２５】
次に、洗浄前の積層した食器皿を食器皿案内体に対して筐体の上面と略平行に横方向から投入する方法について図４により説明する。筐体２の上面２ａには、食器皿１１を誘導案内する誘導体１５が設けられ、この誘導体１５の上面には食器皿のための誘導溝１５ａが形成されている。
【００２６】
筐体上面２ａから誘導溝１５ａまでの高さＴは筒状体１０Ａの高さより若干高く形成され、積層した食器皿１１が筒状体１０Ａを乗り越えるように構成されている。図４（ａ）において、積層した食器皿１１を案内溝１５ａに沿って誘導案内し、食器皿案内体１０のところで、手前の２本のガイドバー１０Ｂを屈曲させて積層した食器皿１１を筒状体１０Ａの上部に運搬することができる。これにより、積層した食器皿も安定した状態で食器皿案内体まで手軽に搬送できる。
【００２７】
上記実施形態は、筐体２の食器皿投入口Ｈに設けられている食器皿案内体１０について説明してきたが、図１に示すように、食器排出口Ｈ’にも食器皿案内体１０’が設けられており、洗浄後の積層した食器皿を排出する際についても同様に使用することができる。
【００２８】
食器皿が排出される際には、食器皿が押上げ部Ｒにより下方から持ち上げられることで、食器排出口Ｈ’から筐体２の外方に排出され、食器皿案内体１０’にストックされることになる。一定枚数の食器皿が食器皿案内体１０’にストックされた後、食器皿案内体１０’のガイドバー１０Ｂ’を一時的に鉛直方向に延びた状態から退避状態にして、積層された食器皿を筐体２の上面と略平行に横方向から排出させることができるようになっている。
【００２９】
また、誘導体１５についても食器皿の投入時と同様に、食器皿が排出される際に、洗浄後の積層した食器皿を誘導体１５に沿って食器皿案内体１０’から引き出すだけで、取り出すことができるので、食器皿の排出作業を軽減することができるようになっている。
【００３０】
上記した本発明の実施形態によれば、洗浄前の積層した複数の食器皿１１を食器皿案内体１０に対して筐体２の上面２ａに沿って横方向から投入できるので、積層した食器皿をわざわざ持ち上げる必要がなく、作業が楽に行える。他の食器皿案内体２０，３０を用いても同様にガイドバー上方まで食器皿を持ち上げる必要がない。
【００３１】
以上、本発明の実施例を図面により説明してきたが、具体的な構成はこれら実施例に限られるものではなく、本発明の要旨を逸脱しない範囲における変更や追加があっても本発明に含まれる。
【００３２】
【発明の効果】
本発明は以下の効果を奏する。
（ａ）請求項１項の発明によれば、積層した複数の食器皿を食器皿案内体に対して筐体の上面に沿って横方向から投入または排出できるので、重い積層した食器皿を持ち上げる必要がなく、作業が楽である。
【００３３】
（ｂ）請求項２項の発明によれば、ガイドバーを屈曲及び復元させるだけで食器皿の投入または排出態勢がとれるので、簡素な機構で食器皿案内体が構成できる。
【００３４】
（ｃ）請求項３項の発明によれば、ガイドバーを着脱させるだけで食器皿の投入または排出態勢がとれるので、簡素な機構で食器皿案内体が構成できる。
【００３５】
（ｄ）請求項４項の発明によれば、ガイドバーを回動させるだけで食器皿の投入または排出態勢がとれるので、簡素な機構で食器皿案内体が構成できる。
【００３６】
（ｅ）請求項５項の発明によれば、洗浄前の積層したの食器皿を誘導溝に沿って食器皿案内体に向かって押し込むだけで、食器皿案内体まで難なく運ぶことができるばかりか、洗浄後の積層したの食器皿を誘導溝に沿って食器皿案内体から引き出すだけで、難なく取り出すことができる。
【図面の簡単な説明】
【図１】本発明が適用される食器洗浄装置の部分断面図である。
【図２】図１における食器皿投入口の拡大部分断面図である。
【図３】退避可能なガイドバーを有する各種食器皿案内体の斜視図であり、（ａ）は屈曲自在のガイドバーを有する食器皿案内体の斜視図であり、（ｂ）は着脱自在のガイドバーを有する食器皿案内体の斜視図であり、（ｃ）は回動自在のガイドバーを有する食器皿案内体の斜視図である。
【図４】食器皿投入口の誘導部の説明図で、（ａ）は平面図であり（ｂ）は（ａ）のＡ−Ａ断面図である。
【符号の説明】
１                        食器皿洗浄装置
２                        筐体
２ａ                      筐体上面
４                        搬送スクリュー
５                        排出部
６                        洗浄液噴射ノズル
７                        回転ブラシ
８                        すすぎ液噴射ノズル
９                        エアー噴射ノズル
１０、１０’              食器皿案内体
１０Ａ、１０Ａ’          筒状体
１０Ｂ、１０Ｂ’          ガイドバー
１１                      食器皿
１２                      案内筒体
１３                      分離部材
１５                      誘導体
１５ａ                    誘導溝
２０、３０                食器皿案内体
２０Ａ、３０Ｂ            筒状体
２０Ｂ、３０Ｂ            ガイドバー
Ｇ                        案内供給部
Ｈ                        食器皿投入口
Ｈ’                      食器皿排出口
Ｒ                        押上げ部
Ｓ                        食器皿搬送部
Ｔ                        筐体上面から誘導溝までの高さ
Ｗ                        洗浄部
【図１】
2004209064.tif 000003
【図２】
2004209064.tif 000004
【図３】
2004209064.tif 000005
【図４】
2004209064.tif 000006